(57)【要約】【課題】ダニ及びダニアレルゲンを確実に採取できると共に、多様な掃除機のパイプに気密に取り付け可能な、コンパクトなダニアレルゲンの採取器具を提供する。【解決手段】周壁１ａに環状係止部１ｃが周設された有底筒状の支持ケース１と、開口の向きを同一にして支持ケース１に着脱自在に嵌挿された有底筒状のフィルター２と、フィルター２の開口に着脱自在に内嵌装着された両端開口の管状係着リング３を具え、支持ケース１の底から環状係止部１ｃに至る周壁１ａに多数の貫通孔１ｄ，…が穿設されると共に、管状係着リング３の一開口端から突設された係着片３ａ，…が支持ケース１の開口縁部１ｆに係着されてなるダニアレルゲンの採取器具である。電気掃除機のパイプに挿入し、下流側パイプ内のシールドパッキングと上流側パイプで環状係止部１ｃを挟持する様にして取り付け、電気掃除機で吸引することによってダニアレルゲンを採取する。【選択図】図１
0003141143.tif 000002
【実用新案登録請求の範囲】
【請求項１】
周壁に環状係止部が周設された有底筒状の支持ケースと、開口の向きを同一にして支持ケースに着脱自在に嵌挿された有底筒状のフィルターと、フィルターの開口に着脱自在に内嵌装着された両端開口の管状係着リングを具え、支持ケースの底から環状係止部に至る周壁に多数の貫通孔が穿設されると共に、管状係着リングの一開口端から突設された係着片が支持ケースの開口縁部に係着されてなることを特徴とするダニアレルゲンの採取器具。
【請求項２】
支持ケースの底に、更に貫通孔が穿設されてなることを特徴とする請求項１に記載のダニアレルゲンの採取器具。
【請求項３】
環状係止部の厚みが、０．５ｍｍ以上１．０ｍｍ以下であることを特徴とする請求項１又は請求項２に記載のダニアレルゲンの採取器具。
【請求項４】
支持ケースの外径が２２ｍｍ以上２８ｍｍ以下であり、環状係止部の外径が３０ｍｍ以上３２ｍｍ以下であることを特徴とする請求項１乃至請求項３の何れか１項に記載のダニアレルゲンの採取器具。
【請求項５】
支持ケースの周壁及び底の厚みが、１ｍｍ以上３ｍｍ以下であることを特徴とする請求項１乃至請求項４の何れか１項に記載のダニアレルゲンの採取器具。
【請求項６】
支持ケースが、ポリエチレン，ポリプロピレン，ポリ塩化ビニル及びポリスチレンからなる群から選ばれる何れか１の材質で作成されると共に、管状係着リングがアルミニウム，ステンレス鋼，アルミニウム合金，ポリエチレン，ポリプロピレン，ポリ塩化ビニル及びポリスチレンからなる群から選ばれる何れか１の材質で作成されてなることを特徴とする請求項１乃至請求項５の何れか１項に記載のダニアレルゲンの採取器具。
【考案の詳細な説明】
【技術分野】
【０００１】
本考案は、電気掃除機のパイプに取り付けて用いられるダニアレルゲンの採取器具に関する。
【背景技術】
【０００２】
気管支喘息，アトピー性皮膚炎，アレルギー性鼻炎等のアレルギー性疾患は、各種アレルゲンに感作されることによって発症する。防御手段に乏しい屋外でアレルゲンに曝露され易いことは想像に難くないが、近年、屋内に存在するアレルゲンによってもアレルギー性疾患を発症することが判明し、問題視されている。屋内に存在するアレルギー性疾患の原因物質には、ヒト又は動物の皮屑や体毛，真菌又はその胞子，ダニ，ハウスダスト，花粉等があるが、屋内のアレルゲンによるアレルギー性疾患の大部分は、ダニ又はハウスダストによるものである。
【０００３】
ダニアレルギーはコナヒョウダニ又はヤケヒョウダニ（以下、ヒョウダニ類と称する）の生体，死骸又は糞によって惹き起こされるが、そのアレルゲンは、ヒョウダニ類の保有する蛋白質である（以下、当該アレルゲンをダニアレルゲンと称する）。一方、ハウスダストの大部分は、ヒョウダニ類の生体，死骸及び糞，並びにそれらを含有する屋内塵であり、ハウスダストアレルギーの主因もダニアレルゲンである。したがって、屋内のダニアレルゲン量を測定することは、屋内環境を清潔に保ちアレルギー性疾患の発症を防止するための重要な目安を与える。多数の人が出入りする学校，病院，官公署等の建物は、人の往来に伴ってダニが侵入する機会が多く、皮屑を餌とするヒョウダニ類にとって生息し易い環境であるから、ダニアレルゲン量の測定は特に重要な意味を持つ。
【０００４】
ダニアレルゲン量を測定するためには、電気掃除機等の吸引装置に、ダニアレルゲンの採取器具を取り付け、測定箇所の単位面積を単位時間吸引する。採取器具中に設けられたフィルターから、生理食塩水等を用いてダニ及びダニアレルゲンを抽出し、得られた抽出液を測定に供する。測定方法には、顕微鏡下にダニの生体及び死骸を計数する匹数計測法，又はダニアレルゲンを抗原とする酵素免疫測定法若しくはそれと相関の高い簡易法があるが、専門知識や特殊な装置を要せず、迅速，簡便な測定が可能な簡易法が好まれ、イムノクロマトグラフィーによる簡易検査が多用されている。多数の人が出入りする建物は、一般にのべ床面積が大きく測定対象となる床面積も大きいから、採取の手間は甚大で測定試料の数も多い。そのため、ダニアレルゲン採取作業のみを行い、フィルターを密閉袋等に入れて運搬又は輸送し、外部機関で一括して測定を行う例も多い。
【０００５】
既に、ダニアレルゲンの採取器具や採取方法に関する発明が開示されている。例えば、電気掃除機本体から延びる複数の円筒体からなるホースのうち、所望の一対の円筒体間に固定されダニ抗原を採取するためのダニ抗原採取装置において、ホース先端側の第１開口部と電気掃除機本体側の第１底部とを有するとともに、多数の第１開孔を含むメッシュ若しくは不織布からなる外側袋体と、この外側袋体内に装着固定されるとともに、ホース先端側の第２開口部と電気掃除機本体側の第２底部とを有し、第１開孔より大きな多数の第２開孔を含む合成樹脂フィルムからなる内側袋体とを備え、内側袋体の第２開口部側に、内側袋体の第２開口部から突出する一対の保持部が設けられ、この一対の保持部は一対の円筒体間で挟持され、これにより内側袋体と外側袋体が一対の円筒体間で固定されることを特徴とするダニ抗原採取装置が開示されている（例えば、特許文献１参照）。
【０００６】
また、ダニ類が混入した夾雑物を空気による吸引により、荒い濾過面と細かい濾過面から構成される複層の濾過面に、この順序で通して夾雑物よりダニ類を捕集分離する方法が開示されている（例えば、特許文献２参照）。電気掃除機に連結されるホース又はパイプの中間位置に漏斗状のガイドを取り付け、そこへ前記濾過面（即ちフィルター）を取り付けて用いる。
【０００７】
更に、電気掃除機本体から延びるホース先端に固定されダニ抗原を採取するためのダニ抗原採取装置において、ホース先端に装着されるフランジ部と、このフランジ部に連結されるとともにホース内側へ延びる筒状部と、この筒状部に連結されるとともに粗い孔またはメッシュが形成された内側体と、この内側体を外方から覆って設けられ、内側体の孔またはメッシュより細かな孔またはメッシュが形成された外側体と、を備えたことを特徴とするダニ抗原採取装置が開示されている（例えば、特許文献３参照）。
【０００８】
【特許文献１】特開２００１−２７５８６号公報
【特許文献２】特開昭６４−３０５３１号公報
【特許文献３】特開平１０−２２１２１９号公報
【考案の開示】
【考案が解決しようとする課題】
【０００９】
しかしながら、上記特許文献１に記載のダニ抗原採取装置は、内側袋体の開口部に設けられた保持部を、電気掃除機のホースにおける一対の円筒体間に挟持させることによって固定される。たとえ前記保持部が合成樹脂製のフィルムで作成されていたとしても、前記一対の円筒体間には必ず空隙が生じる。気密性が低下するから、騒音を生じ易い上、電気掃除機に負荷を掛け、過大な電力を消費し電気掃除機の耐用年数を短くする虞がある。
【００１０】
前記空隙から空気中のダニアレルゲンが混入し、偽陽性の測定結果を得る虞がある。一方、本来検出されるべきダニアレルゲンを含有するハウスダストが内側袋体で除かれ、偽陰性の測定結果を得る虞がある。したがって、特許文献１のダニ抗原採取装置によれば、必ずしも正確なダニアレルゲン量の測定ができない。
【００１１】
特許文献１に記載のダニ抗原採取装置は、不織布，合成樹脂フィルム等の柔軟な材質のみからなり、円筒体間に取り付ける作業が行い難い。また、電気掃除機の吸引力によって、合成樹脂フィルムからなる内側袋体が、吸引時に破損する虞がある。
【００１２】
特許文献２に記載のダニ類を捕集分離する方法によれば、本来細かい濾過面で捕集されるべき、ダニアレルゲンを含有するハウスダストが荒い濾過面で捕集されてしまい、偽陰性の測定結果を与える虞がある。また、経済性を高めるために荒い濾過面を再利用すると、他所で荒い濾過面に捕集されていたダニアレルゲンを含有するハウスダストが、吸引によって細かい濾過面に捕集され、偽陽性の測定結果を与える虞がある。したがって、特許文献２に記載のダニ類を捕集分離する方法によれば、必ずしも正確な測定ができない。
【００１３】
また、特許文献２には、パイプの内部に採取器具を取り付けることは開示されていない。前記特許文献に記載のガイドは、複数のホース間に連結されて取り付けられるが、近年の電気掃除機のパイプは、必ずしも円形の開口を有する物ばかりではなく多様な形状を有し、開口の大きさも多様であるから、連結部を気密に保ち正確な測定を行うためには、電気掃除機の型式毎にガイドを作成する必要があり、非効率的である。
【００１４】
前記ガイドは、電気掃除機等の吸引装置のパイプ間に連結して用いる大きな物であるから、運搬又は輸送に手間が掛かり、特に多検体の測定を委託する場合には、甚大な手間や費用が必要となる。また、前記ガイドを保管する、大きなスペースも必要である。
【００１５】
特許文献３に記載のダニ抗原採取装置は、電気掃除機から延びるホース先端に取り付けて用いる物であって、通常取り付けられている掃除機ヘッドを取り外し、その代わりに取り付けられる。ダニアレルゲンの採取は、通常約１ｍ２又はそれ以上の面積を対象として行われるが、前記ダニ抗原採取装置はごく狭い面積しか採取できず、床面に沿って移動しながら吸引できない構成であるから、採取の作業効率が極めて悪い。
【００１６】
既述の通り、近年の電気掃除機のパイプは必ずしも円形の開口を有する物ばかりではなく多様な形状を有し、開口の大きさも多様であるから、連結部を気密に保ち正確な測定を行うためには、電気掃除機の型式毎にダニ抗原採取装置を作成する必要があり、非効率的である。
【００１７】
ダニアレルゲンを含有するハウスダストが、内側体で除かれてしまい、本来検出されるべきダニアレルゲンが検出されず、偽陰性の測定結果を与える虞がある。また、経済性を高めるために内側体を再利用すると、他所で内側体に付着した、ダニアレルゲンを含有するハウスダストが吸引によって外側体で採取され、偽陽性の測定結果を与える虞がある。したがって、特許文献３に記載のダニ抗原採取装置では、必ずしも正確な測定ができない。
【００１８】
前記ダニ抗原採取装置は、ホースよりも大きな外径を有し嵩張るから、運搬又は輸送に手間が掛かり、特に多検体の測定を委託する場合には、甚大な手間や費用が必要となる。また、前記ダニ抗原採取装置を保管する、大きなスペースも必要である。
【００１９】
本考案はこれらの問題点に鑑み、単位面積に存在するダニ及びダニアレルゲンを確実に採取し、正確な測定を行うことを可能とするダニアレルゲンの採取器具を提供することを課題とする。また、多様な形状及び大きさの開口を有する電気掃除機のパイプに、気密を保ちつつ取り付け可能であって、運搬及び輸送し易く過大な保管スペースを要しない、コンパクトなダニアレルゲンの採取器具を提供することを課題とする。
【課題を解決するための手段】
【００２０】
上記課題を解決する、第１の考案に係るダニアレルゲンの採取器具は、周壁に環状係止部が周設された有底筒状の支持ケースと、開口の向きを同一にして支持ケースに着脱自在に嵌挿された有底筒状のフィルターと、フィルターの開口に着脱自在に内嵌装着された両端開口の管状係着リングを具え、支持ケースの底から環状係止部に至る周壁に多数の貫通孔が穿設されると共に、管状係着リングの一開口端から突設された係着片が支持ケースの開口縁部に係着されてなる。
【００２１】
第２の考案は、第１の考案に係るダニアレルゲンの採取器具であって、支持ケースの底に、更に貫通孔が穿設されてなる。
【００２２】
第３の考案は、第１の考案又は第２の考案に係るダニアレルゲンの採取器具であって、環状係止部の厚みが、０．５ｍｍ以上１．０ｍｍ以下である。
【００２３】
第４の考案は、第１乃至第３の考案の何れか１の考案に係るダニアレルゲンの採取器具であって、支持ケースの外径が２２ｍｍ以上２８ｍｍ以下であり、環状係止部の外径が３０ｍｍ以上３２ｍｍ以下である。
【００２４】
第５の考案は、第１乃至第４の考案の何れか１の考案に係るダニアレルゲンの採取器具であって、支持ケースの周壁及び底の厚みが、１ｍｍ以上３ｍｍ以下である。
【００２５】
第６の考案は、第１乃至第５の考案の何れか１の考案に係るダニアレルゲンの採取器具であって、支持ケースが、ポリエチレン，ポリプロピレン，ポリ塩化ビニル及びポリスチレンからなる群から選ばれる何れか１の材質で作成されると共に、管状係着リングがアルミニウム，ステンレス鋼，アルミニウム合金，ポリエチレン，ポリプロピレン，ポリ塩化ビニル及びポリスチレンからなる群から選ばれる何れか１の材質で作成されてなる。
【００２６】
互いに連結される下流側パイプ（電気掃除機本体に近い側のパイプ）及び上流側パイプ（上流側即ち電気掃除機の吸入口に近い側のパイプ）を分離し、支持ケース及びフィルターの開口を上流側に向けるようにして、本考案に係るダニアレルゲンの採取器具を下流側パイプに挿入し、下流側パイプ内壁に設けられたシールパッキングに環状係止部を係止させる。その後、前記環状係止部をシールパッキング及び上流側パイプで挟持する様にして、本考案を取り付け、下流側パイプと上流側パイプを再連結する。この状態で、電気掃除機で吸引し、ダニ及びダニアレルゲンを採取する。
【考案の効果】
【００２７】
本考案に係るダニアレルゲンの採取器具によれば、支持ケースに嵌挿された１個のフィルターに、ダニの生体，死骸及び糞等のみならず、ハウスダストも採取される。荒い濾過面，粗い孔またはメッシュが形成された内側体等が存在しないから、それらによってハウスダストが除かれ偽陰性の測定結果を得、又は他所でそれらに付着したハウスダストがフィルターで採取され偽陽性の測定結果を得ることが回避される。気密を保ちながら本考案を取り付けることができ、空隙を生じないから、空気中のダニアレルゲンが空隙から混入し偽陽性の測定結果を与えることが回避される。したがって、本考案に係るダニアレルゲンの採取器具によれば、偽陽性又は偽陰性の測定結果を得ることが回避され、ダニアレルゲン量を正確に測定することができる。
【００２８】
叙上の通り、パイプ間に空隙を生じずに取り付け可能であるから、電気掃除機に過大な負荷を掛け、又は大きな騒音を発生することを防止できる。
【００２９】
パイプ内に挿入して取り付けられるから、円形の断面を有するパイプのみならず、従来のダニアレルゲンの採取器具が取り付け困難であった、多様な形状及び大きさの開口を有する電気掃除機のパイプに取り付け可能であって、汎用性が高い。
【００３０】
更に、本考案は、パイプ内に取り付け可能なコンパクトな形状であるから、運搬及び輸送が容易であって、収納に際しても大きな保管スペースを必要としない。
【００３１】
第２の考案に係るダニアレルゲンの採取器具は、支持ケースの周壁のみならず底にも貫通孔が穿設されているから、吸気流の通過する面積が増すことによって、電気掃除機及び支持ケースに過大な負荷が掛かることが防止される。本考案の破損及び脱落が起こり難く、確実に、ダニアレルゲンを採取できる。
【００３２】
第３の考案に係るダニアレルゲンの採取器具は、環状係止部が、充分な剛性を有する厚みとされているから、電気掃除機の吸引によっても本考案の破損及び脱落が起こり難く、より確実にダニアレルゲンを採取できる。環状係止部が、より多様な電気掃除機のパイプにも気密に取り付け可能な厚みとされているから、下流側パイプと上流側パイプを連結しても両者間に空隙を生じ難く、前記空隙から混入したダニアレルゲンによって偽陽性の測定結果を得ることが回避され、より正確なダニアレルゲン量の測定が可能である。また、空隙を生じ難いから、電気掃除機に過大な負荷を掛け、又は大きな騒音を発生することを、より確実に防止できる。
【００３３】
第４の考案に係るダニアレルゲンの採取器具は、支持ケース及び環状係止部が、更に多様な電気掃除機に取り付け可能な外径を有していて、汎用性が高い。支持ケースの周壁及び底が、充分な面積の貫通孔を多数設けるに充分な面積を有し、大きな表面積を有するフィルターを嵌挿することが可能であるから、更に効率的なダニアレルゲンの採取が可能である。
【００３４】
第５の考案に係るダニアレルゲンの採取器具は、支持ケースの周壁及び底の厚みが、電気掃除機の吸引力に抗する充分な強度を有する１ｍｍとされていて、電気掃除機の吸引による破損を、より確実に回避できる。支持ケースの周壁及び底の厚みが３ｍｍ以下に抑えられているから、支持ケースの内容積が充分に広くされていて、より大きな表面積を有するフィルターを嵌挿することができ、更に効率的なダニアレルゲンの採取が可能である。
【００３５】
第６の考案に係るダニアレルゲンの採取器具は、支持ケース及び管状係着リングが軽量であるから、本考案の、電気掃除機のパイプへの取り付け及び取り外し，運搬並びに輸送がより容易である。剛性を有する材質で作成されているから、電気掃除機の吸引力に抗する高い強度を有していて、更に破損し難い。支持ケース及び管状係着リングが、入手及び加工が容易で安価な材料で作成されているから、本考案の作成が容易で、本考案を安価に提供できる。
【考案を実施するための最良の形態】
【００３６】
以下に、本考案を実施するための最良の形態を、実施例を示す図面を参照しつつ説明するが、本考案はこれらに限定されるものではない。
【実施例１】
【００３７】
図１は本考案の実施例を示す斜視図である。図２は、本考案の実施例を示す図面で、（ａ）は支持ケースの斜視図，（ｂ）はフィルターの斜視図，（ｃ）は管状係着リングの斜視図である。図３は、本考案の実施例を示す底面図である。図４は、本考案の実施例を示す側方視断面図であって、Ｆ矢は、吸気流の向きを表している。
【００３８】
本考案に係るダニアレルゲンの採取器具は、図１乃至図４に示される様に、周壁１ａに環状係止部１ｃが周設された有底筒状の支持ケース１と、開口の向きを同一にして支持ケース１に着脱自在に嵌挿された有底筒状のフィルター２と、フィルター２の開口２ａに着脱自在に内嵌装着された両端開口の管状係着リング３を具え、支持ケース１の底１ｂから環状係止部１ｃに至る周壁１ａに多数の貫通孔１ｄ，…が穿設されると共に、管状係着リング３の一開口端から突設された係着片３ａ，…が支持ケース１の開口縁部１ｆに係着されてなる。
【００３９】
支持ケース１は、ポリプロピレン製で、有底の円筒形状に形成されている。支持ケース１の材質は、剛性を有する材質であれば必ずしもポリプロピレンに限られず、例えば鉄，銅，アルミニウム，炭素鋼，ステンレス鋼，真鍮，アルミニウム合金等の剛性を有する金属，ポリエチレン，ポリプロピレン，ポリ塩化ビニル，ポリスチレン，ポリテトラフルオロエチレン，ＡＳ樹脂，ＡＢＳ樹脂，ポリカーボネート，ポリアミド，ポリイミド，ポリ乳酸，ポリテレフタル酸エステル，ポリメタクリル酸エステル等の剛性を有する合成樹脂又は木材等を用いることができるが、軽量で加工及び成形が容易な、剛性を有する合成樹脂が好適であって、入手し易く安価なポリエチレン，ポリプロピレン，ポリ塩化ビニル又はポリスチレンが特に好適である。
【００４０】
支持ケース１の形状は、有底筒状であれば必ずしも円筒形に限られず、略円筒状，中空の略楕円柱状，中空の任意多角柱状等であっても良いが、電気掃除機のパイプに挿入し易く、外力に強く破損し難い円筒形状であることが好ましい。
【００４１】
支持ケース１の外径は特に限定されないが、多様な内径を有する下流側パイプ４及び上流側パイプ５に挿入可能な２８ｍｍ以下であって、電気掃除機への負荷を軽減すると共に高い採取効率を達成するに充分な大きさ及び数の貫通孔１ｄ，…を穿設できる２２ｍｍ以上であることが好ましい。
【００４２】
支持ケース１の周壁１ａ及び底１ｂの厚みは特に限定されないが、電気掃除機の吸引力に抗する充分な強度を有し破損し難い１ｍｍ以上であり、大きな表面積を有するフィルター２を嵌挿するに充分な内容積を与える３ｍｍ以下であることが好ましい。
【００４３】
また、底１ｂと環状係止部１ｃの距離は、支持ケース１の外径よりも大きくされていることが好ましい。支持ケース１の外径は下流側パイプ４の内径に制約され、底１ｂに穿設される貫通孔１ｄ，…の大きさ及び数も制限されるが、底１ｂと環状係止部１ｃの距離を長くすることによって貫通孔１ｄ，…を穿設可能な面積を大きくすることができるからである。
【００４４】
環状係止部１ｃは、支持ケース１と一体として作成され周壁１ａに周設されていて、底１ｂと平行に設けられている。図４に示される様に、下流側パイプ４に設けられたシールパッキング４ａ及び上流側パイプ５で環状係止部１ｃを挟持する様にして、本考案は取り付けられる。環状係止部１ｃの外径は特に限定されないが、多様な内径の下流側パイプ４に挿入可能な３２ｍｍ以下であることが好ましく、多様な内径のシールパッキング４ａに係止可能な３０ｍｍ以上であることが好ましい。環状係止部１ｃの厚みは特に限定されないが、電気掃除機の吸引力に抗する充分な強度を有し破損し難い０．５ｍｍ以上であり、下流側パイプ４と上流側パイプ５を連結しても両者間に空隙を生じ難い１．０ｍｍ以下であることが好ましい。尚、シールパッキング４ａの形状は、図４に示される形状に限定されるものではない。
【００４５】
支持ケース１の内外を通じる多数の円形の貫通孔１ｄ，…が、周壁１ａ及び底１ｂに穿設されていて、本考案の使用時には、電気掃除機の吸引によって生じる吸気流が貫通孔１ｄ，…を通って電気掃除機本体に導かれる。貫通孔１ｄ，…は、必ずしも周壁１ａ及び底１ｂの両方に穿設されている必要は無く、周壁１ａ及び底１ｂの少なくとも一方にのみ穿設されていれば良いが、叙上の通り電気掃除機への負荷を軽減すると共に高い採取効率を達成するために、少なくとも周壁１ａに穿設されていることが好ましい。電気掃除機への負荷をより軽減すると共に、より高い採取効率を達成するために、周壁１ａ及び底１ｂの両方に貫通孔１ｄ，…が穿設されていることが、更に好ましい。
【００４６】
貫通孔１ｄ，…の形状は円形に限られず、略円形状，略楕円形状，任意多角形状等の任意形状であって良いが、凹稜が無く亀裂を生じ難い略円形状又は略楕円形状であることが好ましく、加工容易な円形であることがより好ましい。貫通孔１ｄ，…の大きさは特に限定されないが、電気掃除機で吸引してもフィルター２が破損し難い、外径３ｍｍ以上５ｍｍ以下であることが好ましい。また、貫通孔１ｄ，…の数は特に限定されないが、支持ケース１の強度を維持しつつ、充分な流量の吸気流が通過可能で電気掃除機に過大な負荷を与えない様、貫通孔１ｄ，…が、好ましくは底１ｂから環状係止部１ｃに至る周壁１ａの外周面又は底１ｂの面積の１０％以上５０％以下、より好ましくは３０％以上５０％以下の面積を占める程度に穿設される。貫通孔１ｄ，…の配置は特に限定されないが、電気掃除機で吸引する際に支持ケース１及びフィルター２に過大な負荷が掛からない様、特定部位に偏らず均等に穿設されていることが好ましい。
【００４７】
有底筒状のフェルト製のフィルター２が、周壁１ａの内周面に当接される様にして、支持ケース１に嵌挿されて設けられていて、フィルター２の開口２ａと支持ケース１の開口１ｅは共に上流側に向けられている。
【００４８】
フィルター２は、可撓性の物であれば必ずしもフェルト製に限られず、任意材質の布又は濾紙を用いることができる。電気掃除機で吸引されても容易に破損しない強度を有し、最も小さなダニアレルゲン含有物質であるダニの糞や粉々になった死骸を通し難い、厚手の布が好適に用いられ、微細な孔を有し加工成形が容易な不織布又はフェルトがより好適に用いられる。不織布及びフェルトの材質は特に限定されず、ウール，シルク，羊毛等の動物繊維，ポリエチレン，ポリプロピレン，ポリアミド，ポリイミド，ポリテトラフルオロエチレン，レーヨン等の合成繊維，又はそれらの２種以上を混合した繊維を用いることができるが、抽出に用いる生理食塩水等に触れても溶解しない耐水性を具えたウール，シルク，羊毛，ポリエチレン，ポリプロピレン，ポリテトラフルオロエチレン，レーヨン又はそれらの２種以上を混合した繊維が好適に用いられる。不織布及びフェルトの製法は特に限定されず、サーマルボンド法，ニードルパンチ法，スパンボンド法の他、任意の製法で製造された物を用いることができる。また、ダニアレルゲン採取後の抽出操作を効率化するために、予め界面活性化剤等で処理したフィルター２を用いても良い。
【００４９】
管状係着リング３は、アルミニウムで作成され、フィルター２の内径と略等しい外径を有していて、電気掃除機で吸引されてもフィルター２と容易に分離しない様にされている。管状係着リング３の材質は、剛性を有する材質であれば必ずしもアルミニウムに限られず、例えば、鉄，銅，アルミニウム，炭素鋼，ステンレス鋼，真鍮，アルミニウム合金等の剛性を有する金属，ポリエチレン，ポリプロピレン，ポリ塩化ビニル，ポリスチレン，ポリテトラフルオロエチレン，ＡＳ樹脂，ＡＢＳ樹脂，ポリカーボネート，ポリアミド，ポリイミド，ポリ乳酸，ポリテレフタル酸エステル，ポリメタクリル酸エステル等の剛性を有する合成樹脂，又は木材等を用いることができるが、軽量で加工し易く、電気掃除機の吸引力によっても変形し難いアルミニウム，ステンレス鋼，アルミニウム合金，ポリエチレン，ポリプロピレン，ポリ塩化ビニル，ポリスチレン，ポリテトラフルオロエチレン，ＡＳ樹脂，ＡＢＳ樹脂，ポリカーボネート，ポリアミド，ポリイミド，ポリ乳酸，ポリテレフタル酸エステル又はポリメタクリル酸エステルが好適である。入手し易く管状係着リング３を安価に作成可能な、アルミニウム，ステンレス鋼，アルミニウム合金，ポリエチレン，ポリプロピレン，ポリ塩化ビニル又はポリスチレンがより好適に用いられる。
【００５０】
係着片３ａ，…は、管状係着リング３の一開口端に複数の切れ目を入れて生じた略長方形状の部分が、外側に緩やかに曲げられて形成されている。係着片３ａ，…の形状は必ずしも略長方形状に限られず、略半円形，略半楕円形，任意多角形状等であっても良い。管状係着リング３の開口端から突設され支持ケース１の開口縁部１ｆに係着可能であれば、必ずしも緩やかに曲げられて形成されていることに限られず、例えば、係着片３ａ，…と開口端との間に稜を有する形状とされていても良い。また、係着片３ａ，…は、管状係着リング３と一体として作成されていても良く、管状係着リング３とは別に作成され管状係着リング３に接合されて設けられていても良い。
【００５１】
係着片３ａ，…の数は特に限定されず、２以上の任意個数の係着片３ａ，…が設けられていても良く、単一の係着片３ａが管状係着リング３の開口全周に亘って形成されていても良い。
【００５２】
本考案を電気掃除機に取り付けて吸引すると、係着片３ａ，…によって、支持ケース１とフィルター２との空隙に吸気流が進入することが防止される。これによって、ダニアレルゲンがフィルター２に採取されずに本考案を通過してしまい又はフィルター２が支持ケース１の周壁１ａから剥離することが回避され、確実なダニアレルゲンの採取と正確な測定が可能となる。
【実施例２】
【００５３】
以下、本考案の別の実施例について説明するが、実施例１と同一部分には同一符号を付して、詳細な説明は省略する。
【００５４】
図５は、本考案の別の実施例を示す斜視図である。
【００５５】
実施例２に係るダニアレルゲンの採取器具は、図５に示される様に、周壁１ａに環状係止部１ｃが周設された有底筒状の支持ケース１と、開口の向きを同一にして支持ケース１に着脱自在に嵌挿された有底筒状のフィルター２と、フィルター２の開口２ａに着脱自在に内嵌装着された両端開口の管状係着リング３を具え、支持ケース１の底１ｂから環状係止部１ｃに至る周壁１ａに多数の貫通孔１ｄ，…が穿設されると共に、管状係着リング３の一開口端から突設された係着片３ａが支持ケース１の開口縁部１ｆに係着されてなる。
【００５６】
単一の係着片３ａが、管状係着リング３の一開口端が外側に緩やかに曲げられて形成されていて、管状係着リング３の前記開口端全周に亘って突設されている。本実施例の係着片３ａは、略円形の外周を有する形状とされているが、必ずしもこれに限られず、略半円形，略半楕円形，任意多角形状等であっても良い。管状係着リング３の開口端から突設され支持ケース１の開口縁部１ｆに係着可能であれば、必ずしも緩やかに曲げられて形成されていることに限られず、例えば、係着片３ａと開口端との間に稜を有する形状とされていても良い。また、係着片３ａは、管状係着リング３と一体として作成されていても良く、管状係着リング３とは別に作成され管状係着リング３に接合されて設けられていても良い。
【００５７】
本実施例に係るダニアレルゲンの採取器具を電気掃除機に取り付けて吸引すると、単一の係着片３ａが管状係着リング３の開口端における全周に亘って設けられているから、支持ケース１とフィルター２との空隙に吸気流が進入することがより確実に防止される。これによって、ダニアレルゲンがフィルター２に採取されずに本考案を通過してしまい又はフィルター２が支持ケース１の周壁１ａから剥離することがより確実に回避され、より確実なダニアレルゲンの採取と正確な測定が可能となる。
【参考例】
【００５８】
以下、本考案の参考例について説明するが、実施例１と同一部分には同一符号を付して、詳細な説明は省略する。
【００５９】
図６は、本考案の参考例を示す斜視図である。
【００６０】
参考例に係るダニアレルゲンの採取器具は、図６に示される様に、周壁１ａに環状係止部１ｃが周設された有底筒状の支持ケース１と、開口の向きを同一にして支持ケース１に着脱自在に嵌挿された有底筒状のフィルター２と、フィルター２の開口２ａに着脱自在に内嵌装着された両端開口の管状係着リング３を具え、支持ケース１の底１ｂから環状係止部１ｃに至る周壁１ａに多数の貫通孔１ｄ，…が穿設されると共に、管状係着リング３の一開口端から突設された係着片３ａ，…が支持ケース１の開口縁部１ｆに係着されてなる。
【００６１】
環状係止部１ｃから開口１ｅに至る周壁１ａの外周面に、２個のフック６，６が突設されていて、フック６，６には２個の線状体７，７が係止されている。
【００６２】
フック６，６は、支持ケース１と一体として作成されていて、それらの先端は下方に屈曲している。フック６，６は、例えば、成型によって支持ケース１と一体として作成されていても良く、又は支持ケース１とは別に作成されたフック６，６が接合されて設けられていても良い。また、フック６，６は、線状体７，７が係止可能であれば、特にその形状を限定するものではない。
【００６３】
本参考例においては、略円筒形状に形成された支持ケース１の軸芯に対して互いに対称な位置に、２個のフック６，６が突設されている。フック６の数は特に限定されず、１又は２以上の任意の数であって良いが、電気掃除機のパイプから支持ケース１を容易に取り外し易い２以上であることが好ましい。また、フック６，６の位置は必ずしも支持ケース１の軸芯に対して互いに対称な位置に限られず、周壁１ａの外周面における任意位置で良いが、気密を保ちながら環状係止部１ｃをシールパッキング４ａに係止可能な、環状係止部１ｃと開口１ｅの間であることが好ましく、フック６，６及び線状体７，７に過大な負荷を掛けず、電気掃除機のパイプから支持ケース１を容易に取り外すことが可能な、支持ケース１の軸芯に対して互いに対称な位置であることがより好ましい。
【００６４】
線状体７，７は、天然繊維，合成樹脂又は金属で、細い線状に形成されている。線状体７，７の一端には環状部７ａ，７ａが形成されていて、環状部７ａ，７ａによって、線状体７，７はフック６，６に係止されている。線状体７，７の他端は、使用者が掴み易い様に任意形状のつまみが設けられていても良く、何らの加工及び修飾が施されないままであっても良い。
【００６５】
１個のフック６に係止される線状体７の数は必ずしも１個に限られず、２個以上の線状体７，…が係止されていても良い。線状体７，７は、必ずしも環状部７ａ，７ａによってフック６，６に係止されていることに限られず、線状体７，７と一体として又は別に作成された任意形状の部材によって、フック６，６に係止されていても良い。また、線状体７，７は、必ずしもフック６，６に係止されていることに限られず、支持ケース１と一体として作成され、又は、周壁１ａに直接貼着されていても良い。線状体７，７の代りに、帯状又はフィルム状の部材を用いることもできる。
【００６６】
本参考例に係るダニアレルゲンの採取器具は、フック６，６に係止された線状体７，７を引っ張ることによって、ピンセットを用いずとも、電気掃除機のパイプから容易に取り外すことができる。また、線状体７，７を、下流側パイプ４及び上流側パイプ５の連結部からパイプ外に導き、下流側パイプ４及び上流側パイプ５で挟持することによっても取り付け可能である。したがって、シールパッキング４ａが設けられていない旧型の電気掃除機に取り付けて用いることもできる。
【図面の簡単な説明】
【００６７】
【図１】本考案の実施例を示す全体斜視図である。
【図２】本考案の実施例を示す図面で、（ａ）は支持ケースの斜視図，（ｂ）はフィルターの斜視図，（ｃ）は管状係着リングの斜視図である。
【図３】本考案の実施例を示す底面図である。
【図４】本考案の実施例を示す側方視断面図である。
【図５】本考案の別の実施例を示す側方視断面図である。
【図６】本考案の参考例を示す斜視図である。
【符号の説明】
【００６８】
１  支持ケース
１ａ  周壁
１ｂ  底
１ｃ  環状係止部
１ｄ  貫通孔
１ｅ，２ａ  開口
１ｆ  開口縁部
２  フィルター
３  管状係着リング
３ａ  係着片
４  下流側パイプ
４ａ  シールパッキング
５  上流側パイプ
６  フック
７  線状体
７ａ  環状部
【図１】
0003141143.tif 000003
【図２】
0003141143.tif 000004
【図３】
0003141143.tif 000005
【図４】
0003141143.tif 000006
【図５】
0003141143.tif 000007
【図６】
0003141143.tif 000008